(57)【要約】【課題】初心者や高齢者が使いやすいマッサージ器具を提供する。【解決手段】マッサージ器具１を、平面上に載置される台座２と、マッサージローラー４と、一端側を台座２に保持され、他端側にマッサージローラー４を略水平方向に軸支するアーム３とで構成し、マッサージ対象部位をマッサージローラー４に押し当てて、マッサージローラー４を回転させる方向に動かして使用可能とする。さらに、アーム３を、台座２に回動可能に保持し、アーム３を台座２に対して回動させることにより、マッサージローラー４を台座２の上方に離間する位置に保持する起立状態と、マッサージローラー４を台座２の上面６に当接する位置βに保持する傾倒状態とに変換可能とし、傾倒状態では、マッサージローラー４が台座２と当接することにより、起立状態に比べてマッサージローラー４が回転困難となるようにする。【選択図】図６
0003225132.tif 000002
【実用新案登録請求の範囲】
【請求項１】
平面上に載置される台座と、マッサージローラーと、一端側を前記台座に保持され、他端側に前記マッサージローラーを略水平方向に軸支するアームとを備え、
マッサージ対象部位を前記マッサージローラーに押し当てて、前記マッサージローラーを回転させる方向に動かして使用可能なものであり、
前記アームは、前記台座に回動可能に保持されており、
前記アームを前記台座に対して回動させることにより、
前記マッサージローラーを前記台座の上方に離間する位置に保持する起立状態と、
前記マッサージローラーを前記台座の上面に当接する位置に保持する傾倒状態と
に変換可能であり、
前記傾倒状態では、前記マッサージローラーが前記台座と当接することにより、前記起立状態に比べて前記マッサージローラーが回転困難となることを特徴とするマッサージ器具。
【請求項２】
前記台座の上面は略平坦であって、クッション性を有していることを特徴とする請求項１に記載のマッサージ器具。
【請求項３】
前記マッサージローラーは、断面が略楕円形状であることを特徴とする請求項１又は請求項２に記載のマッサージ器具。
【請求項４】
前記マッサージローラーの外周面に、凸部が設けられていることを特徴とする請求項１乃至請求項３のいずれか１項に記載のマッサージ器具。
【請求項５】
前記アームは、前記台座の後部の両側に保持されており、前記起立状態において、前記上方位置に保持された前記マッサージローラーを背もたれとし、前記台座の上面を座面とする座椅子として使用可能であることを特徴とする請求項１乃至請求項４のいずれか１項に記載のマッサージ器具。
【考案の詳細な説明】
【技術分野】
【０００１】
本考案は、筋肉や筋膜のマッサージが可能なマッサージ器具に関する。
【背景技術】
【０００２】
近年、円筒形のマッサージローラーの上にマッサージ対象部位を載せて、当該マッサージローラーを転がすことにより、筋肉や筋膜をほぐしたり、ストレッチさせるマッサージが広く行われている（例えば、特許文献１）。
【先行技術文献】
【特許文献】
【０００３】
【特許文献１】実用新案登録第３０８７００２号公報
【考案の概要】
【考案が解決しようとする課題】
【０００４】
ところで、上述のマッサージローラーは、マッサージ対象部位を載せた状態で前後に転がして使用するが、力加減を間違えてマッサージローラーを勢いよく回転させてしまうと、マッサージローラーの動きにマッサージ対象部位を追従させられず、体を傷めるおそれがあった。このため、従来のマッサージローラーは、初心者や高齢者などは使い難いという問題があった。
【０００５】
本考案は、かかる現状に鑑みてなされたものであり、初心者や高齢者が使いやすいマッサージ器具の提供を目的とする。
【課題を解決するための手段】
【０００６】
本考案は、平面上に載置される台座と、マッサージローラーと、一端側を前記台座に保持され、他端側に前記マッサージローラーを略水平方向に軸支するアームとを備え、マッサージ対象部位を前記マッサージローラーに押し当てて、前記マッサージローラーを回転させる方向に動かして使用可能なものであり、前記アームは、前記台座に回動可能に保持されており、前記アームを前記台座に対して回動させることにより、前記マッサージローラーを前記台座の上方に離間する位置に保持する起立状態と、前記マッサージローラーを前記台座の上面に当接する位置に保持する傾倒状態とに変換可能であり、前記傾倒状態では、前記マッサージローラーが前記台座と当接することにより、前記起立状態に比べて前記マッサージローラーが回転困難となることを特徴とするマッサージ器具である。
【０００７】
かかる構成では、マッサージローラーがアームを介して台座に保持されているため、使用時にマッサージローラーを勢いよく回転させたとしても、マッサージローラーの位置は保持される。このため、本考案のマッサージ器具は、床上で転がして使用する従来のマッサージローラーに比べて、マッサージローラーを勢いよく回転させても、体を傷め難いという利点がある。
また、かかる構成では、マッサージローラーを傾倒状態にして使用すれば、台座との当接によって、起立状態よりもマッサージローラーの回転を抑制できる。このため、マッサージローラーに対象部位を強く押し当てて使用する場合など、マッサージローラーを回転させ過ぎるおそれがある場合には、傾倒状態にすることで、マッサージローラーを回転させ過ぎないようにして使用できる。すなわち、本考案では、起立状態と傾倒状態で選択的に使用することによって、マッサージ対象部位をより適切にマッサージできるという利点がある。
【０００８】
本考案にあって、前記台座の上面は略平坦であって、クッション性を有していることが提案される。かかる構成にあっては、傾倒状態にあって、マッサージローラーがクッション性のある台座の上面に沈み込むことによって、マッサージローラーと台座の接触面積が増えるため、台座の上面との摩擦によって、マッサージローラーの回転を強く抑制可能となる。
【０００９】
また、本考案にあって、前記マッサージローラーは、断面が略楕円形状であることが提案される。かかる構成にあっては、マッサージローラーの外周面の曲率が一定でないため、マッサージ対象部位を押し当てる部分を選択することで、マッサージの対象範囲を選択可能となる。すなわち、マッサージ対象部位をマッサージローラーの曲率の大きい部分に押し当てれば、比較的局所的なマッサージが可能となり、マッサージ対象部位をマッサージローラーの曲率の小さい部分に押し当てれば、比較的広範囲のマッサージが可能となる。
【００１０】
また、本考案にあって、前記マッサージローラーの外周面に、凸部が設けられていることが提案される。かかる構成にあっては、マッサージ対象部位をマッサージローラーの外周面に押し付けた時に、凸部がマッサージ対象部位を刺激することで、指圧効果が得られる。
【００１１】
また、本考案にあって、前記アームは、前記台座の後部の両側に保持されており、前記起立状態において、前記上方位置に保持された前記マッサージローラーを背もたれとし、前記台座の上面を座面とする座椅子として使用可能であることが提案される。かかる構成では、マッサージ器具の利便性を向上させることができる。また、マッサージをしない時には、マッサージ器具を座椅子として室内に置いておくことができるため、収納スペースが不要となる。また、マッサージをする度にマッサージ器具を収納スペースから出したり、収納スペースに片付けたりする手間を省くことができる。
【考案の効果】
【００１２】
以上のように、本考案のマッサージ器具は、その場でマッサージローラーを回転させて使用するため、転がして使用する従来のマッサージローラーに比べて、勢いよく回転させた場合でも、体を傷め難いという利点がある。また、本考案のマッサージ器具は、傾倒状態で使用すれば、マッサージローラーの回転を抑制できるため、マッサージ対象部位をマッサージローラーに強く押し当てて使用する場合でも、安全に使用できる。したがって、本考案のマッサージ器具は、初心者や高齢者でも容易に使用できる。
【図面の簡単な説明】
【００１３】
【図１】マッサージ器具１の起立状態の斜視図である。
【図２】マッサージ器具１の傾倒状態の斜視図である。
【図３】マッサージ器具１の起立状態の縦断面図である。
【図４】マッサージ器具１の傾倒状態の縦断面図である。
【図５】マッサージ器具１の起立状態での使用例を示す説明図である。
【図６】マッサージ器具１の傾倒状態での使用例を示す説明図である。
【図７】マッサージ器具１の座椅子としての使用例を示す説明図である。
【図８】変形例のマッサージローラー４ａを示す説明図である。
【考案を実施するための形態】
【００１４】
本考案の実施形態を、以下の実施例に従って説明する。
図１，２に示すように、本実施例のマッサージ器具１は、左右対称形状であり、平面視略矩形板状をなす台座２と、左右一対のアーム３，３によって台座２の上に回転可能に保持されたマッサージローラー４とを具備している。
【００１５】
図３，４に示すように、台座２は、骨格を形成する金属フレーム７と、金属フレーム７に固定されたクッション材８と、金属フレーム７及びクッション材８を覆う布製の台座カバー９とで構成される。台座２の上面６は、クッション材８によってクッション性を有する略平坦面となっている。
【００１６】
図３，４に示すように、マッサージローラー４は、略楕円柱形状をなしており、ポリウレタン等の弾性樹脂からなるローラー本体１２と、ローラー本体１２を覆う布製のローラーカバー１３とで構成される。マッサージローラー４の中心には、左右方向に貫通する軸穴１５が形成される。そして、図１，２に示すように、マッサージローラー４は、両側から当該軸穴１５に挿入されたアーム３によって水平方向に軸支されて、外力によって回転し得るよう保持されている。
【００１７】
左右のアーム３は、略Ｌ字状に屈曲させた金属パイプである。図１，２に示すように、各アーム３は、基端側を、台座２の後部の左右両側に夫々保持されて、先端側でマッサージローラー４を回転可能に軸支している。図３，４に示すように、各アーム３の基端側は、台座２の金属フレーム７の後部両側に配設された左右一対のヒンジ１１に固定されており、これにより、各アーム３は、ヒンジ１１を中心に、約９０°の角度範囲で回動可能に保持されている。そして、マッサージ器具１は、アーム３を回動させることにより、図３に示すように、アーム３が台座２の上面から起立して僅かに後傾し、アーム３と台座２の上面６のなす角度θが約１００°となる起立状態と、図４に示すように、アーム３がヒンジ１１の前方に傾倒して、アーム３と台座２の上面６のなす角度θが約１０°となる傾倒状態とに変換可能となっている。
【００１８】
ヒンジ１１は、アーム３を一定の角度範囲内で回動可能とするものであり、上記起立状態では、図１，３に示すように、ヒンジ１１によって、アーム３がそれ以上後傾しないように後方回動を規制されることで、アーム３の回動角度が保持される。このため、起立状態では、マッサージローラー４は、台座２の後部上方に離間した上方位置αで回転可能に保持される。かかる起立状態では、マッサージローラー４が台座２の上面から離間しているため、外力を加えることで軸穴１５を中心にマッサージローラー４を円滑に回転させることができる
【００１９】
一方、上記傾倒状態では、図２，４に示すように、ローラー４の外周面が台座２の上面に当接することで、アーム３の下方回動が規制され、アームの回動角度が保持される。このため、傾倒状態では、マッサージローラー４は、外周面を台座２の上面に当接させる下方位置に保持される。かかる傾倒状態では、外力を加えることで、軸穴１５を中心にマッサージローラー４を回転させることが可能であるが、マッサージローラー４は台座３と当接しているため、台座２との摩擦力を上回る強い力を加えて回転させなくてはならない。しがたって、傾倒状態では、起立状態よりもマッサージローラー４を回転させ難くなる。
【００２０】
本実施例のマッサージ器具１は、マッサージ対象部位をマッサージローラー４の外周面に押し当てながら、当該部位を前後に往復させることで、当該部位の筋肉や筋膜をほぐしたりストレッチさせることができる。例えば、マッサージ対象部位が前腕部である場合は、図５，６に示すように、前腕部をマッサージローラー４に押し当てながら前後に往復させる。上腕部や脚部、体幹などがマッサージ対象部位の場合でも、基本的に同様である。
【００２１】
このように、本実施例では、アーム３を介してマッサージローラー４を台座２に保持した状態で使用するため、床上で転がして使用する従来のマッサージローラーに比べて、マッサージを水平移動させずに使用できる。したがって、本実施例のマッサージ器具１は、マッサージローラー４を勢いよく回転させたとしても体を傷め難く、初心者や高齢者でも安全に使用できるという利点がある。
【００２２】
本実施例のマッサージ器具１は、図５，６に示すように、起立状態と傾倒状態の二通りの状態で使用できる。起立状態で使用する場合は、図５に示すように、マッサージローラー４が自由に回転可能であるため、マッサージ対象部位をマッサージローラー４に押し当てて前後移動させる際に、マッサージローラー４を円滑に回転させることができる。一方、傾倒状態で使用する場合は、図６に示すように、台座２との摩擦が生じるため、マッサージローラー４を起立状態ほど自由に回転させられない。このため、マッサージ対象部位をマッサージローラー４に押し当てて前後移動させる際に、マッサージローラー４を摩擦力に抗しながら回転させることとなる。
【００２３】
このように、本実施例のマッサージ器具１は、マッサージローラー４を回転容易な起立状態と、マッサージローラー４を回転困難な傾倒状態の二通りの状態で使用できる。傾倒状態では、起立状態に比べてマッサージローラー４を回転させ難くなるが、マッサージ対象部位をマッサージローラー４に強く押し当てて使用する場合は、起立状態で使用するとマッサージローラー４を回転させ過ぎるおそれがあるため、起立状態よりも傾倒状態で使用する方が適している。すなわち、本実施例のマッサージ器具１では、起立状態と傾倒状態で選択的に使用することによって、マッサージ対象部位をより適切にマッサージできるという利点がある。
【００２４】
特に、本実施例では、台座２の上面６がクッション性を有する略平坦面となっているため、傾倒状態において台座２の上面６にマッサージローラー４が当接した時に、マッサージローラー４が台座２の上面６に沈み込むことによって、マッサージローラー４と台座２の接触面積が増えることとなる。このため、かかる構成によれば、傾倒状態において、台座２の上面６との摩擦によって、マッサージローラー４の回転を強く抑制でき、起立状態と傾倒状態で、マッサージローラー４の回転させ易さにメリハリをつけることができる。
【００２５】
また、本実施例では、マッサージローラー４が略楕円柱形状をなしているため、マッサージ対象部位をマッサージローラー４の曲率の大きい部分に押し当てれば、比較的局所的なマッサージが可能となり、マッサージ対象部位をマッサージローラー４の曲率の小さい部分に押し当てれば、比較的広範囲のマッサージが可能となる。すなわち、かかる構成によれば、マッサージ対象部位を押し当てる部分を選択することで、マッサージ対象範囲を選択可能となる。
【００２６】
また、本実施例のマッサージ器具１は、図７に示すように、座椅子としても使用できる。すなわち、台座２の上面はクッション性を有する平坦面であり、また、起立状態では、マッサージローラー４が台座２の後部上方の上方位置に保持されているため、台座２の上面６を座面とし、上方位置のマッサージローラー４を背もたれとすることで、座椅子として好適に用いることができる。
【００２７】
このように、本実施例のマッサージ器具１は、座椅子としても使用できるため、単なるマッサージ器具に比べて利便性が高く、また、マッサージをしない場合でも、室内に座椅子として置いておくことができるため、収納スペースが不要であり、マッサージをする度に収納スペースから出したり、収納スペースに片付けたりする手間も省くことができる。
【００２８】
以上に本考案の実施例を説明したが、本考案のマッサージ器具は、上記実施例の形態に限らず本考案の要旨を逸脱しない範囲内において種々変更を加えることができる。例えば、上記実施例では、マッサージローラー４の表面が平滑であるが、図８に示すように、ローラー本体１２ａの外周面に凸部を形成してもよい。かかる構成とした場合には、マッサージ対象部位を押し付けた時に、マッサージローラー４ａの凸部がマッサージ対象部位を局所的に刺激することとなるため、マッサージ対象部位に対する指圧効果が得られる。なお、図８では、ローラー本体１２ａの外周面にリブ状の凸部が形成されているが、凸部の形状はリブ状に限らず、突起状であってもよい。
【００２９】
また、上記実施例では、マッサージローラー４の断面が略楕円形状であるが、本考案に係るマッサージローラーは断面略円形状であってもよい。
【符号の説明】
【００３０】
１  マッサージ器具
２  台座
３  アーム
４，４ａ  マッサージローラー
６  上面
７  金属フレーム
８  クッション材
９  台座カバー
１１  ヒンジ
１２  ローラー本体
１３  ローラーカバー
１５  軸穴
【図１】
0003225132.tif 000003
【図２】
0003225132.tif 000004
【図３】
0003225132.tif 000005
【図４】
0003225132.tif 000006
【図５】
0003225132.tif 000007
【図６】
0003225132.tif 000008
【図７】
0003225132.tif 000009
【図８】
0003225132.tif 000010